(57)【要約】【課題】  無線局によるネットワークの動的な構成変更を適切に管理できるネットワーク管理システム等を提供する。【解決手段】  （ａ）に示すように、無線タグ１０ｄの近傍に位置していた無線タグ１０ｅが、無線タグ１０ｇの近傍に移動した場合、無線タグ１０ｄ−１０ｅ間の通信が切断され、無線タグ１０ｇ−１０ｅ間の通信が接続される。また、（ｂ）に示すように、無線タグ１０ｉの近傍に位置していた無線タグ１０ｊが、無線タグ１０ｑの近傍に移動した場合、無線タグ１０ｉ−１０ｊ間の通信が切断され、無線タグ１０ｑ−１０ｊ間の通信が接続される。このような接続情報は、アクセスポイント２０を介してネットワーク監視装置３０に供給される。そして、ネットワーク監視装置３０は、無線ネットワークのトポロジが変化に基づいて、無線タグ１０ｅや無線タグ１０ｊの移動を検出する。【選択図】  図４
2006086868.tif 000002
【特許請求の範囲】
【請求項１】
アドホックネットワークを動的に構成する複数の無線局と、所定位置に配置された固定局を介して当該各無線局を管理する管理装置とから構成されるネットワーク管理システムであって、
前記各無線局は、
自己の近傍に位置し、上位及び下位となる他の無線局との間でアドホック通信を行う通信手段と、
前記通信手段によりアドホック通信が行われる前記他の無線局との接続関係を示す接続情報を記憶する記憶手段と、
前記通信手段を制御して、前記記憶手段が記憶する前記接続情報を上位となる前記他の無線局に送信する制御手段と、を備え、
前記管理装置は、
最上位の無線局から送られる前記各無線局の前記接続情報を、前記固定局を介して取得する取得手段と、
前記取得手段が取得した前記接続情報に基づいて、前記各無線局によるアドホックネットワークのトポロジを監視する監視手段と、
前記監視手段により監視される前記トポロジの変化に基づいて、移動した無線局を検出する検出手段と、を備える、
ことを特徴とするネットワーク管理システム。
【請求項２】
前記制御手段は、前記通信手段を制御して、自己の識別情報を含む前記接続情報を上位となる前記他の無線局に送信し、
前記管理装置は、前記取得手段が取得した前記接続情報に含まれる識別情報に基づいて、前記各無線局をグループ化するグループ化手段と、を更に備える、
ことを特徴とする請求項１に記載のネットワーク管理システム。
【請求項３】
前記管理装置は、
前記固定局と前記各無線局との通信所要時間に基づいて、前記固定局を基準とした前記各無線局までの距離を計測する計測手段を、更に備え、
前記検出手段は、前記計測手段により計測された距離により、移動を検出した前記無線局の距離に変化がない場合に、電波障害によるトポロジの変化を検出する、
ことを特徴とする請求項１又は２に記載のネットワーク管理システム。
【請求項４】
前記管理装置は、
前記計測手段が計測した前記距離に基づいて、前記各無線局をグループ化するグループ化手段を更に備える、
ことを特徴とする請求項３に記載のネットワーク管理システム。
【請求項５】
アドホックネットワークを動的に構成する複数の無線局と、所定位置に配置された固定局を介して当該各無線局を管理する管理装置とから構成されるシステムにおける移動検出方法であって、
前記各無線局にて、上位及び下位となる他の無線局を特定し、特定した前記他の無線局との接続関係を示す接続情報を、上位となる前記他の無線局に送信する送信ステップと、
前記管理装置にて、最上位の前記無線局から送られる前記各無線局の接続情報を、前記固定局を介して取得する取得ステップと、
前記取得ステップにて取得した前記接続情報に基づいて、前記各無線局によるアドホックネットワークのトポロジを監視する監視ステップと、
前記監視ステップにて監視される前記トポロジの変化に基づいて、移動した無線局を検出する検出ステップと、
を備えることを特徴とする移動検出方法。
【発明の詳細な説明】
【技術分野】
【０００１】
この発明は、無線局によるネットワークの動的な構成変更を適切に管理することのできるネットワーク管理システム及び、移動検出方法に関する。
【背景技術】
【０００２】
近年、無線タグ（ＲＦ−ＩＤ；Radio Frequency IDentification）が普及し、種々の管理に用いられている。例えば、無線タグを商品に貼り付け、送受信機（リーダライタ等）により、流通段階や小売段階における商品管理も行われている。
この場合、無線タグの情報（ＩＤ等）が送受信機にて定期的に読み取られ、各商品の存在等が管理される。なお、送受信機による情報の読み取りは、無線タグからの電波が届く範囲内に制限されている。そのため、広範囲において、無線タグを活用する場合には、電波の出力を大きくする必要があった。
【０００３】
また、商品の識別信号を発信する発信装置を用いて、店舗内における各商品の位置を管理する技術も開示されている（例えば、特許文献１参照）。
【特許文献１】特開平８−６３６６８号公報  （第３−５頁、第１図）
【発明の開示】
【発明が解決しようとする課題】
【０００４】
上述の特許文献１に開示される技術は、座標値が割り振られた複数の無線制御装置が店舗内に配置されており、それぞれ座標値を送信する。そして、各発信装置は、最寄りの無線制御装置から送られる座標値を取得することによって、自己の位置を確定している。つまり、商品（発信装置）が店舗内を移動しても（顧客等により運ばれても）、発信装置が移動先での無線制御装置から送られる座標値により自己の位置を更新するため、各商品の位置を把握することができる。
【０００５】
しかしながら、特許文献１の技術では、全ての発信装置が、直接、無線制御装置と通信を行う方式であるため、商品（発信装置）が配置又は移動される店舗内全てに、それぞれ無線制御装置を適宜配置する必要があった。このため、設備が大掛かりとなってしまうという問題があった。
また、商品（発信装置）の移動を考慮して、各発信装置は、常時、最寄りの無線制御装置から座標値を受信し続ける必要があった。このため、通信量や通信回数が増大してしまい、省電力が図れないという問題があった。
【０００６】
本発明は、上記実状に鑑みてなされたもので、無線局によるネットワークの動的な構成変更を適切に管理することのできるネットワーク管理システム及び、移動検出方法を提供することを目的とする。
【課題を解決するための手段】
【０００７】
上記目的を達成するため、本発明の第１の観点に係るネットワーク管理システムは、
アドホックネットワークを動的に構成する複数の無線局と、所定位置に配置された固定局を介して当該各無線局を管理する管理装置とから構成されるネットワーク管理システムであって、
前記各無線局は、
自己の近傍に位置し、上位及び下位となる他の無線局との間でアドホック通信を行う通信手段と、
前記通信手段によりアドホック通信が行われる前記他の無線局との接続関係を示す接続情報を記憶する記憶手段と、
前記通信手段を制御して、前記記憶手段が記憶する前記接続情報を上位となる前記他の無線局に送信する制御手段と、を備え、
前記管理装置は、
最上位の無線局から送られる前記各無線局の前記接続情報を、前記固定局を介して取得する取得手段と、
前記取得手段が取得した前記接続情報に基づいて、前記各無線局によるアドホックネットワークのトポロジを監視する監視手段と、
前記監視手段により監視される前記トポロジの変化に基づいて、移動した無線局を検出する検出手段と、を備える、
ことを特徴とする。
【０００８】
この発明によれば、各無線局において、通信手段は、自己の近傍に位置し、上位及び下位となる他の無線局との間でアドホック通信を行う。また、記憶手段は、通信手段によりアドホック通信が行われる他の無線局との接続関係を示す接続情報を記憶する。そして、制御手段は、通信手段を制御して、記憶手段が記憶する接続情報を上位となる他の無線局に送信する。一方、管理装置において、取得手段は、最上位の無線局から送られる各無線局の接続情報を、固定局を介して取得する。また、監視手段は、取得手段が取得した接続情報に基づいて、各無線局によるアドホックネットワークのトポロジを監視する。そして、検出手段は、監視手段により監視されるトポロジの変化に基づいて、移動した無線局を検出する。
この結果、無線局によるネットワークの動的な構成変更を適切に管理することができる。
【０００９】
前記制御手段は、前記通信手段を制御して、自己の識別情報を含む前記接続情報を上位となる前記他の無線局に送信し、
前記管理装置は、前記取得手段が取得した前記接続情報に含まれる識別情報に基づいて、前記各無線局をグループ化するグループ化手段と、を更に備えてもよい。
【００１０】
前記管理装置は、
前記固定局と前記各無線局との通信所要時間に基づいて、前記固定局を基準とした前記各無線局までの距離を計測する計測手段を、更に備え、
前記検出手段は、前記計測手段により計測された距離により、移動を検出した前記無線局の距離に変化がない場合に、電波障害によるトポロジの変化を検出してもよい。
【００１１】
前記管理装置は、
前記計測手段が計測した前記距離に基づいて、前記各無線局をグループ化するグループ化手段を更に備えてもよい。
【００１２】
上記目的を達成するため、本発明の第２の観点に係る移動検出方法は、
アドホックネットワークを動的に構成する複数の無線局と、所定位置に配置された固定局を介して当該各無線局を管理する管理装置とから構成されるシステムにおける移動検出方法であって、
前記各無線局にて、上位及び下位となる他の無線局を特定し、特定した前記他の無線局との接続関係を示す接続情報を、上位となる前記他の無線局に送信する送信ステップと、
前記管理装置にて、最上位の前記無線局から送られる前記各無線局の接続情報を、前記固定局を介して取得する取得ステップと、
前記取得ステップにて取得した前記接続情報に基づいて、前記各無線局によるアドホックネットワークのトポロジを監視する監視ステップと、
前記監視ステップにて監視される前記トポロジの変化に基づいて、移動した無線局を検出する検出ステップと、
を備えることを特徴とする。
【００１３】
この発明によれば、送信ステップは、各無線局にて、上位及び下位となる他の無線局を特定し、特定した他の無線局との接続関係を示す接続情報を、上位となる他の無線局に送信する。一方、取得ステップは、管理装置にて、最上位の無線局から送られる各無線局の接続情報を、固定局を介して取得する。また、監視ステップは、取得ステップにて取得した接続情報に基づいて、各無線局によるアドホックネットワークのトポロジを監視する。そして、検出ステップは、監視ステップにて監視されるトポロジの変化に基づいて、移動した無線局を検出する。
この結果、無線局によるネットワークの動的な構成変更を適切に管理することができる。
【発明の効果】
【００１４】
本発明によれば、無線局によるネットワークの動的な構成変更を適切に管理することができる。
【発明を実施するための最良の形態】
【００１５】
本発明の実施の形態にかかるネットワーク管理システムについて、以下図面を参照して説明する。
【００１６】
（実施形態１）
図１は、この発明の第１の実施形態に適用されるネットワーク管理システム１の構成の一例を示す模式図である。
【００１７】
図示するように、ネットワーク管理システム１は、無線局としての無線タグ１０（１０ａ〜１０ｔ）と、固定局としてのアクセスポイント２０（２０ａ，２０ｂ）と、管理装置としてのネットワーク監視装置３０と、を含んで構成される。
【００１８】
無線タグ１０（１０ａ〜１０ｔ）は、例えば、電池を搭載したアクティブタグ等からなり、所定位置にそれぞれ配置され、自己の近傍に位置する他の無線タグ１０との間でアドホック通信を行う。つまり、無線タグ１０は、アドホックによる無線ネットワークを構成する。なお、無線タグ１０は、後述する第２の実施形態や第３の実施形態にて説明するように、現実には、物（荷物）や人（競技者）等に貼り付けられ、又は所持されて使用される。そのため、無線タグ１０は、荷物や競技者等の移動に伴い位置が変化し、そして、ネットワーク構成が動的に変化する。
具体的に無線タグ１０は、図２に示すように、アンテナ１１と、通信部１２と、記憶部１３と、制御部１４と、から構成される。なお、無線タグ１０は、例えば、Bluetooth（ブルートゥース）、Zigbee（ジグビー）、及び、ＵＷＢ（Ultra Wide Band）等の無線方式により無線通信が行われる。
【００１９】
アンテナ１１は、送信用のアンテナである。また、通信部１２は、アンテナ１１を介して自己の近傍に位置する他の無線タグ１０との間でアドホック通信を行う。具体的に、通信部１２は、上位の無線タグ１０と、下位の無線タグ１０とを定め、これらの無線タグ１０と無線通信を行う。
なお、最上位の無線タグ１０では、通信部１２は、アクセスポイント２０と下位の無線タグ１０との間で無線通信を行う。また、最下位の無線タグ１０では、上位の無線タグ１０との間で無線通信を行う。
【００２０】
記憶部１３は、不揮発性のメモリ等からなり、自己の無線タグ１０に予め設定されたユニークなＩＤ情報を記憶する。なお、ＩＤ情報には、サブＩＤ等が含まれていてもよい。
また、記憶部１３は、通信部１２によりアドホック通信が行われている他の無線タグ１０との接続関係を示す接続情報を記憶する。
【００２１】
制御部１４は、ＣＰＵ（Central Processing Unit）等からなり、無線タグ１０全体を制御する。
具体的に制御部１４は、通信部１２を制御して近傍に位置する他の無線タグ１０との通信を試み、上位及び下位となる無線タグ１０を特定する。なお、自己が最上位となる場合には、アクセスポイント２０と下位の無線タグ１０を特定し、また、自己が最下位となる場合には、上位の無線タグ１０を特定する。そして、制御部１４は、特定した上位及び下位の無線タグ１０との接続関係を示す接続情報を記憶部１３に格納する。
また、制御部１４は、記憶部１３に格納した接続情報を読み出し、通信部１２を制御して、上位となる他の無線タグ１０に送信する。
【００２２】
なお、上述したように、通信部１２は、記憶部１３に記憶される接続情報に基づいて、上位及び下位の無線タグ１０との間でアドホック通信を行うが、自己（無線タグ１０）の移動や上位や下位の他の無線タグ１０の移動が生じた場合には、それまでの他の無線タグ１０との通信が行えなくなる。その際、通信部１２は、通信不能を制御部１４に通知し、制御部１４は、再度、通信部１２を制御して、近傍に位置する他の無線タグ１０との通信を試み、上位及び下位の無線タグ１０を特定し直す。そして、新たな接続情報を記憶部１３に格納し、通信部１２を制御して、上位となる他の無線タグ１０に新たな接続情報を送信する。
【００２３】
図１に戻って、アクセスポイント２０（２０ａ，２０ｂ）は、近傍に位置する無線タグ１０（最上位となる無線タグ１０）と無線通信を行う。なお、アクセスポイント２０は、それぞれに座標値が割り振られており、対応位置にそれぞれ配置される。
また、アクセスポイント２０は、有線の伝送路Ｍを介してネットワーク監視装置３０と接続されている。そして、アクセスポイント２０は、最上位の無線タグ１０から送られる各無線タグ１０の接続情報を受信し、受信した接続情報をネットワーク監視装置３０に供給する。
【００２４】
ネットワーク監視装置３０は、アクセスポイント２０を介して、無線タグ１０をそれぞれ管理する。
具体的にネットワーク監視装置３０は、図３に示すように、情報取得部３１と、トポロジ監視部３２と、移動検出部３３と、グループ分類部３４と、計測部３５と、から構成される。
【００２５】
情報取得部３１は、アクセスポイント２０を通じて、各無線タグ１０の接続情報をそれぞれ取得する。つまり、最上位の無線タグ１０から送られる各接続情報を、アクセスポイント２０を介して取得する。
【００２６】
トポロジ監視部３２は、情報取得部３１が取得した各接続情報に基づいて、無線ネットワークにおける現在のトポロジを把握する。つまり、各無線タグ１０による無線ネットワークのトポロジを管理し、そして、無線タグ１０の移動等に伴うトポロジの変化を監視する。
【００２７】
移動検出部３３は、トポロジ監視部３２が監視するトポロジの変化に基づいて、移動した無線タグ１０を検出する。
例えば、図４（ａ）に示すように、無線タグ１０ｄの近傍に位置していた無線タグ１０ｅが、無線タグ１０ｇの近傍に移動した場合、無線タグ１０ｄ−１０ｅ間の通信が切断され、無線タグ１０ｇ−１０ｅ間の通信が接続される。
この接続情報が情報取得部３１により取得され、無線ネットワークのトポロジが変化し、トポロジ監視部３２にてトポロジの変化が発見される。そして、移動検出部３３は、このトポロジの変化に基づいて、無線タグ１０ｅの移動を検出する。
同様に、図４（ｂ）に示すように、無線タグ１０ｉの近傍に位置していた無線タグ１０ｊが、無線タグ１０ｑの近傍に移動した場合、無線タグ１０ｉ−１０ｊ間の通信が切断され、無線タグ１０ｑ−１０ｊ間の通信が接続される。この接続情報によりトポロジ監視部３２にてトポロジの変化が発見され、移動検出部３３は、このトポロジの変化に基づいて、無線タグ１０ｊの移動を検出する。
【００２８】
グループ分類部３４は、情報取得部３１が取得した接続情報に含まれるＩＤ情報の一部又はサブＩＤに基づいて、各無線タグ１０をグループ化する。
例えば、図５（ａ）に示すような構成の無線タグ１０Ａａ〜１０Ｂｈを、ＩＤ情報に基づいて、図５（ｂ）に示すようにグルーピングする。
【００２９】
計測部３５は、各無線タグ１０とアクセスポイント２０との無線通信が、ＵＷＢによりにより行われる場合に、アクセスポイント２０を基準とした各無線タグ１０の距離を計測する。
例えば、アクセスポイント２０と無線タグ１０との信号到達時間（受信時間−送信時間）の差に光速をかけることにより、アクセスポイント２０から無線タグ１０までの距離を計測する。
【００３０】
また、計測部３５は、３つのアクセスポイント２０を用いて、各無線タグ１０の現在位置を計測するようにしてもよい。
例えば、図６（ａ）に示すように、アクセスポイント２０ａ〜２０ｃの座標位置が定められており、アクセスポイント２０ａ〜２０ｃを基準とした無線タグ１０までの距離が同様に計測可能とする。
この場合、図６（ｂ）に示すように、アクセスポイント２０ｃを原点として、アクセスポイント２０ａ〜２０ｃの座標位置と、無線タグ１０までの各距離とを用いて、無線タグ１０の位置を求めることができる。
【００３１】
なお、上述のグループ分類部３４は、計測部３５が計測した距離等に基づいて、各無線タグ１０をグループ化してもよい。
この場合、図７（ａ）に示すような構成の無線タグ１０Ａａ〜１０Ｄｃを、距離等に基づいて、図７（ｂ）に示すようにグルーピングする。
【００３２】
以下、上述した構成のネットワーク管理システム１の動作について、図８を参照して説明する。図８は、ネットワーク監視装置３０が実行する移動検出処理を説明するためのフローチャートである。なお、この移動検出処理は、無線タグ１０の配置後、繰り返し実行される。
【００３３】
まず、ネットワーク監視装置３０は、アクセスポイント２０を介して、各無線タグ１０の接続情報をそれぞれ取得する（ステップＳ１）。つまり、最上位の無線タグ１０から送られる各接続情報を取得する。
【００３４】
ネットワーク監視装置３０は、無線ネットワークにおける現在のトポロジを把握する（ステップＳ２）。
そして、ネットワーク監視装置３０は、トポロジの変化の有無を判別する（ステップＳ３）。つまり、無線タグ１０の移動等に伴うトポロジの変化を監視する。
ネットワーク監視装置３０は、トポロジの変化がないと判別すると、上述のステップＳ１に処理を戻す。
【００３５】
一方、トポロジの変化があったと判別した場合に、ネットワーク監視装置３０は、トポロジの変化に基づいて、移動した無線タグ１０を検出する（ステップＳ４）。
つまり、上述した図４（ａ），（ｂ）に示すように、ネットワーク監視装置３０は、移動した無線タグ１０を検出する。
【００３６】
このような移動検出処理により、無線タグ１０による無線ネットワークのトポロジの変化に基づいて、移動した無線タグ１０を検出することができる。
この結果、無線ネットワークにおける動的な構成変更を適切に管理することができる。
【００３７】
上記の第１の実施形態では、基本的なネットワーク管理システム１について説明したが、以降、このようなネットワーク管理システム１が適用される具体的な応用例について説明する。
【００３８】
（実施形態２）
図９は、この発明の第２の実施形態に適用される倉庫管理システム２の構成の一例を示す模式図である。
【００３９】
図示するように、倉庫管理システム２は、無線タグ１０（１０ａ〜１０ｈ）と、アクセスポイント２０（２０ａ，２０ｂ）と、ネットワーク監視装置３０と、無線ＬＡＮ４０と、無線端末５０と、を含んで構成される。
【００４０】
無線タグ１０、アクセスポイント２０、及び、ネットワーク監視装置３０は、上述した第１の実施形態と同様の構成である。
なお、無線タグ１０は、倉庫内の荷物に貼り付けられており、また、アクセスポイント２０は、倉庫内の天井、壁及び、床面等にそれぞれ設置されている。そして、伝送路Ｍは、中継器Ｌを介して接続されている。
【００４１】
無線ＬＡＮ４０は、ネットワーク監視装置３０と無線端末５０との通信を中継する。
無線端末５０は、無線ＬＡＮ４０を介してネットワーク監視装置３０と通信可能なＰＤＡ等からなり、ネットワーク監視装置３０に所定の検索指示を送信し、また、ネットワーク監視装置３０から送られる検索結果を受信する。
【００４２】
以下、この倉庫管理システム２の動作について、図１０を参照して簡単に説明する。
まず、図１０（ａ）に示すように、障害物Ｘの影響により無線タグ１０ｅ−１０ｆ間が通信不能となった場合、図１０（ｂ）に示すように、新たに、無線タグ１０ｂ−１０ｆ間の通信が接続される。
ネットワーク監視装置３０は、この接続情報をアクセスポイント２０ａを介して取得すると、無線ネットワークにおけるトポロジの変化を発見する。そして、このトポロジの変化に基づいて、無線タグ１０ｆの移動を検出する。
更に、ネットワーク監視装置３０は、無線タグ１０ｆの距離等を計測する。つまり、アクセスポイント２０ａ〜２０ｃの座標位置及び、無線タグ１０ｆまでの各距離等に基づいて、無線タグ１０ｆの現在位置を計測する。
この場合、無線タグ１０ｆの位置が元の位置と変わりがないため、無線タグ１０ｅ−１０ｆ間の電波障害等によりトポロジが変化したことを検出できる。
そして、無線端末５０から、無線タグ１０ｆが貼り付けられた荷物の検索が指示された場合、ネットワーク監視装置３０は、その荷物の位置（元の位置）を含む検索結果を返信する。
【００４３】
一方、図１０（ｃ）に示すように、無線タグ１０ｅの近傍に位置していた無線タグ１０ｆが、無線タグ１０ｃの近傍に移動した場合、無線タグ１０ｅ−１０ｆ間の通信が切断され、無線タグ１０ｃ−１０ｆ間の通信が接続される。
ネットワーク監視装置３０は、この接続情報を取得し、無線ネットワークにおけるトポロジの変化を捉えると、このトポロジの変化に基づいて、無線タグ１０ｆの移動を検出する。
更に、ネットワーク監視装置３０は、無線タグ１０ｆの距離等を計測する。この場合、無線タグ１０ｆの位置が元の位置から変化しているため、無線タグ１０ｆ（荷物）の移動を正確に検出できる。
そして、無線端末５０から、無線タグ１０ｆが貼り付けられた荷物の検索が指示された場合、ネットワーク監視装置３０は、その荷物の現在位置（移動後の位置）を含む検索結果を返信する。
【００４４】
また、荷物が持ち出された後、無線端末５０から、その荷物の検索が指示された場合、ネットワーク監視装置３０は、その荷物に貼り付けられた無線タグ１０が無線ネットワーク内に存在しないため、その荷物の持ち出し（無線タグ１０の紛失）を示す検索結果を返信する。
【００４５】
このように、倉庫管理システム２においても、無線タグ１０による無線ネットワークのトポロジの変化に基づいて、移動した無線タグ１０を検出することができる。その際、無線タグ１０の距離等が計測されるため、電波障害等によりトポロジが変化したことも検出できる。
この結果、無線ネットワークにおける動的な構成変更を適切に管理することができる。
【００４６】
上記の第２の実施形態では、物（荷物）に無線タグ１０を貼り付けて、倉庫内の荷物を管理する場合について説明したが、無線タグ１０を人に保持させ、人の管理を行うようにしてもよい。
【００４７】
（実施形態３）
図１１は、この発明の第３の実施形態に適用される競技管理システム３の構成の一例を示す模式図である。なお、この競技管理システム３は、例えば、マラソン競技に適用され、競技者ＲＮのタイム等を管理する。
【００４８】
図示するように、競技管理システム３は、無線タグ１０（１０ａ〜１０ｇ）と、アクセスポイント２０（２０ａ，２０ｂ）と、ネットワーク監視装置３０と、を含んで構成される。
【００４９】
無線タグ１０、アクセスポイント２０、及び、ネットワーク監視装置３０は、上述した第１の実施形態と同様の構成である。
なお、無線タグ１０（１０ａ〜１０ｇ）は、例えば、競技者ＲＮ（ＲＮａ〜ＲＮｇ）に保持され、競技者ＲＮの走行に伴って移動する。また、アクセスポイント２０（２０ａ，２０ｂ）は、例えば、競技の中継地点やゴール地点に配置される。更に、アクセスポイント２０とネットワーク監視装置３０とは、図示していないが、例えば、公衆回線等を介して通信可能に接続されている。
【００５０】
以下、この競技管理システム３の動作について、図１２を参照して簡単に説明する。
まず、計時データの収集について説明する。無線タグ１０は、例えば、アクセスポイント２０からの距離等によりグループ化され、そのグループ内で、計時データを共有する。
具体的に、図１２（ａ）に示すように、グループＡの中の何れか１つの無線タグ１０が計時した計時データは、グループＡ内の全無線タグ１０（１０ａ〜１０ｅ）に共有される。同様に、グループＢの何れかの無線タグ１０が計時した計時データは、グループＢ内の全無線タグ１０（１０ｆ，１０ｇ）に共有される。
このため、各グループの無線タグ１０群とアクセスポイント２０との間で、少ない回数の通信が行われ、計時データ等が収集される。そして、計時データ等がネットワーク監視装置３０に供給されると、各無線タグ１０の計時データが集計される。
【００５１】
次に、競技者ＲＮの集団管理について説明する。
図１２（ｂ）に示すように、Ａ方向に走行している競技者ＲＮが幾つかの集団を形成している場合、アクセスポイント２０は、最上位の無線タグ１０から送られる各無線タグ１０の接続情報を受信する。そして、この接続情報がネットワーク監視装置３０に供給され、トポロジにより、各集団を構成する無線タグ１０（競技者ＲＮ）が特定される。
そして、図１２（ｃ）に示すように、競技者ＲＮｅが遅れ、別の集団に取り込まれた場合、新たな接続情報がアクセスポイント２０を介してネットワーク監視装置３０に供給され、トポロジの変化が捉えられる。このトポロジの変化に基づいて、無線タグ１０ｅの移動（競技者ＲＮｅの遅れ）を検出する。
この場合、トポロジの変化は、競技者ＲＮの集団からの離脱等を意味し、競技者ＲＮの集団ごとの順位管理に利用される。
【００５２】
次に、種目別や男女別の管理について説明する。マラソン競技において、距離の異なる種目にエントリーした競技者ＲＮや、男女の競技者ＲＮが同じコースを同時に走行する場合もある。
この場合、種目や男女別に同一のサブＩＤ等が割り振られたＩＤ情報を無線タグ１０に予め記憶しておく。そして、図１２（ｄ）に示すように、無線タグ１０は、ＩＤ情報によりグループ化する。
より詳細に説明すると、Ａ方向に走行している競技者ＲＮａ〜ＲＮｇにおいて、無線タグ１０ａ，１０ｃ，１０ｅには男子競技者のサブＩＤが割り当てられており、また無線タグ１０ｂ，１０ｄ，１０ｆ，１０ｇには女子競技者のサブＩＤが割り当てられいるものとする。図中には省略されているが、他のアクセスポイント２０も複数設けられており、各アクセスポイント２０の位置を基準として競技者ＲＮａ〜ＲＮｇ（無線タグ１０ａ〜１０ｇ）の位置情報を取得できる。そして、取得した無線タグ１０ａ〜１０ｇの位置情報、ＩＤ情報（サブＩＤも含む）等から、各競技者ＲＮａ〜ＲＮｇの順位情報（総合順位や男女毎の順位等）を特定できる。
例えば、競技者全体における競技者ＲＮｂ（女子競技者）の順位は４位であるが、位置情報、ＩＤ情報等から男女毎にグループ化すれば、女子競技者中における競技者ＲＮｂの順位は２位であることが特定できる。
このようなグループ化により、種目等の異なる競技者ＲＮが同じコースを同時に走行する場合でも、種目や男女毎、距離毎、年齢毎などの順位管理が容易に行える。また、種目毎に集団の管理も同様に行える。
【００５３】
このように、競技管理システム３においても、無線タグ１０による無線ネットワークのトポロジの変化に基づいて、移動した無線タグ１０（集団から離脱した競技者ＲＮ等）を検出することができる。
この結果、無線ネットワークにおける動的な構成変更を適切に管理することができる。
【００５４】
上記の第２，第３の実施形態では、倉庫における荷物管理やマラソン競技における競技者の管理を一例として説明したが、管理対象は、これらに限られず任意である。つまり、無線タグ１０を用いた種々の管理に適宜適用可能である。
【００５５】
以上説明したように、本発明によれば、無線局によるネットワークの動的な構成変更を適切に管理することができる。
【図面の簡単な説明】
【００５６】
【図１】本発明の第１の実施形態に係るネットワーク管理システムの構成の一例を示す模式図である。
【図２】無線タグの構成の一例を示すブロック図である。
【図３】ネットワーク監視装置の構成の一例を示すブロック図である。
【図４】（ａ），（ｂ）共に、無線タグの移動を説明するための模式図である。
【図５】（ａ），（ｂ）共に、ＩＤ情報に基づくグループ化を説明するための模式図である。
【図６】（ａ），（ｂ）共に、無線タグの位置計測を説明するための模式図である。
【図７】（ａ），（ｂ）共に、距離等に基づくグループ化を説明するための模式図である。
【図８】本発明の実施の形態に係る移動検出処理を説明するためのフローチャートである。
【図９】本発明の第２の実施形態に係る倉庫管理システムの構成の一例を示す模式図である。
【図１０】（ａ）〜（ｃ）共に、倉庫管理システムの動作を説明するための模式図である。
【図１１】本発明の第３の実施形態に係る競技管理システムの構成の一例を示す模式図である。
【図１２】（ａ）〜（ｄ）共に、競技管理システムの動作を説明するための模式図である。
【符号の説明】
【００５７】
１    ネットワーク管理システム
２    倉庫管理システム
３    競技管理システム
１０  無線タグ
２０  アクセスポイント
３０  ネットワーク監視装置
４０  無線ＬＡＮ
５０  無線端末
【図１】
2006086868.tif 000003
【図２】
2006086868.tif 000004
【図３】
2006086868.tif 000005
【図４】
2006086868.tif 000006
【図５】
2006086868.tif 000007
【図６】
2006086868.tif 000008
【図７】
2006086868.tif 000009
【図８】
2006086868.tif 000010
【図９】
2006086868.tif 000011
【図１０】
2006086868.tif 000012
【図１１】
2006086868.tif 000013
【図１２】
2006086868.tif 000014